(57)【要約】【課題】  強度的に頑丈で安定して育苗箱を搬送でき、しかも、伸長される側も単独で搬送レールとして使用できる伸縮自在な育苗箱供給用搬送レールを提供すること。【解決手段】  主搬送レールａは、一対の主パイプフレーム１とその底面に接合されて両端をＵ状に立ち上げた連結部４と、連結部４の両上端に接合される外側に開口部３aを有し、開口部３aの上下端にＶの係合溝３bを有するガイド棹３と、両主パイプフレーム１の上面に面一に接合される連結板４とで空間７を形成し、基端部にピン６を設けて成る。副搬送レールbは、梯子状に形成された一対の副パイプフレーム８が空間７に出入自在に挿入され、その前後端をそれぞれＵ状の副連結部１０と固定副連結部１４で接合し、前者をガイド棹３と同構造で対称姿勢の副ガイド棹１２に着脱自在に接合し、後者を副ガイド棹１２に一体に接合し、両ガイド棹３と副ガイド棹１２が相互の係合溝部３b、１２bで係合し、両者が摺動自在に組み合わされて育苗箱供給用搬送レールＡとなる。【選択図】  図２
0003111690.tif 000002
【実用新案登録請求の範囲】
【請求項１】
畦側の苗載置コンテナに一端を係止する係止手段と、育苗箱の載置部を形成する左右一対の主パイプフレームと、両主パイプフレームをその下面で一体に連結し、その左右を所要間隔で立ち上げてＵ状に形成した連結部と、該連結部の両上端部に一体に接合されて育苗箱の左右側壁をガイドする一対のガイド棹とから成る育苗箱供給用搬送レールにおいて、
前記ガイド棹が、外側に開口部を開口し、該開口部の上下開口端にＶ状の係合溝部を配設して成り、前記一対の主パイプフレームの上面には頂面と面一に、両主パイプフレームに渡って連結板が接合され、該連結板の下面と前記連結部の水平部上面と両主パイプフレームの内端との間に形成される空間に、梯子状に形成された一対の副パイプフレームを挿脱自在に配設し、両副パイプフレームの下面を直接、間接に一体に連結するとともに、その左右を所要間隔で立ち上げてＵ状に形成した副連結部の両上端部に、前記ガイド棹と同構造で対称姿勢の副ガイド棹を接合して両者の係合溝部を上下にずらして相互に摺動自在に係合し、その副連結部の連結部に対する位置は、主パイプフレームの前後端のみに接合される連結部のそれぞれ下位側に位置取りされて副パイプフレームを伸縮自在に出入して成る育苗箱供給用搬送レール。
【請求項２】
前端の副連結部と一対の副パイプフレームとを、両副パイプフレームの前端下部を接合した接合板を介して着脱自在に接合するとともに、該副連結部の各上端部を副ガイド棹に着脱自在に接合して成る請求項１記載の育苗箱供給用搬送レール。
【考案の詳細な説明】
【技術分野】
【０００１】
本考案は、畦側の苗載置コンテナから圃場内で移植作業をする田植機へ苗を供給する際に、田植機側に育苗箱を搬送して苗処理作業者の労力を軽減するための育苗箱の搬送技術に関する。
【背景技術】
【０００２】
苗載置コンテナから田植機への苗供給の労力軽減のために搬送レールを伸縮する技術は、特開平９−２９８９１６号公報に開示されているが、伸長される側の口径の小さいテーパー管は単に口径の大きいテーパー管から引き出されるものであるため、育苗箱を載置摺動させる部位では、口径の小さいテーパー管相互は先端部を除いて連結することができず、伸長が長くなるときは載置される育苗箱の重みで各個のテーパー管が上下に波打ったり、左右に拡幅されるなど搬送が不安定であった。苗供給用搬送レールには一対の主パイプフレームを支えるＵ状の複数の連結杆に育苗箱の左右側壁をガイドするガイド杆を設けたものが特開平１０−３３０１９号公報に開示されている。
【特許文献１】特開平０９−２９８９１６号公報
【特許文献２】特開平１０−０３３０１９号公報
【考案の開示】
【考案が解決しようとする課題】
【０００３】
本考案は上記に鑑みて、強度的に頑丈で安定して育苗箱を搬送でき、伸長される側も単独で搬送レールとして使用できる伸縮自在な育苗箱供給用搬送レールを提供する。
【課題を解決するための手段】
【０００４】
本考案の請求項１に記載した育苗箱供給用搬送レールは、畦側の苗載置コンテナに一端を係止する係止手段と、育苗箱の載置部を形成する左右一対の主パイプフレームと、両主パイプフレームをその下面で一体に連結し、その左右を所要間隔で立ち上げてＵ状に形成した連結部と、該連結部の両上端部に一体に接合されて育苗箱の左右側壁をガイドする一対のガイド棹とから成る育苗箱供給用搬送レールにおいて、
前記ガイド棹が、外側に開口部を開口し、該開口部の上下開口端にＶ状の係合溝部を配設して成り、前記一対の主パイプフレームの上面には頂面と面一に、両主パイプフレームに渡って連結板が接合され、該連結板の下面と前記連結部の水平部上面と両主パイプフレームの内端との間に形成される空間に、梯子状に形成された一対の副パイプフレームを挿脱自在に配設し、両副パイプフレームの下面を一体に連結するとともに、その左右を所要間隔で立ち上げてＵ状に形成した副連結部の両上端部に、前記ガイド棹と同構造で対称姿勢の副ガイド棹を接合して両者の係合溝部を上下にずらして相互に摺動自在に係合し、その副連結部の連結部に対する位置は、主パイプフレームの上下端のみに接合される連結部のそれぞれ下位側に位置取りされて副パイプフレームを伸縮自在に出入して成る。
請求項２に記載した考案は、請求項１に記載した育苗箱供給用搬送レールにおいて、
上端の副連結部と一対の副パイプフレームとを、両副パイプフレームの上端を接合した接合板を介して着脱自在に接合するとともに、該副連結部の各上端部を副ガイド棹に着脱自在に接合して成る。
【考案の効果】
【０００５】
本考案の育苗箱供給用搬送レールによれば、育苗箱を載置案内する副パイプフレームが、梯子状になっているため、両副パイプフレームが各個に撓んで上下に波打つこともなく、かつ左右に拡幅されて載置面が乱れることもなく、しかも、副パイプフレームの上端側が副連結部に一体に接合され、副連結部の両上端部に接合される副ガイド棹の一端（上端）を固定側の連結部に一体のガイド棹に係合できるから、該副ガイド棹も拡幅されることなく、その育苗箱の左右側部を伸長時でも確実に案内できるなど、剛直度を向上して育苗箱を安定的に搬送できる効果を奏でる。
【考案を実施するための最良の形態】
【０００６】
本考案に用いるガイド棹（同一構造で対称なものを副ガイド棹とする。）は、側面に副ガイド棹を係合するに足る開口部があって該開口部上下端にＶ状の係合溝部の配設されたものであれば、市販の用材でもよく、また、一対の主パイプフレームの内端間に挿通される梯子状に形成された一対の副パイプフレームは、丸パイプによるものは勿論のこと、両主パイプフレームに接合される連結板の下面と連結部の水平部上面間に挿通できる範囲で矩形パイプの上面に育苗箱の摺動に関与する合成樹脂製のスライダー(主として丸形レール)をビス止めしたものによってもよい。また、副パイプフレームに接合される副連結部の両側の上端部と副ガイド棹との接合は、該副連結部の上端部に縦方向に長孔を開けたものを用いれば、副パイプフレームの分解時に、すなわち両副パイプフレームに差し渡して接合した接合板を副連結部から分離したときに、副ガイド棹と副連結部の上端部を接合するボルトを緩めるだけで副連結部を下げることができ、主パイプフレームを接合している連結部を交わすことができるので、分解作業の手間が大幅に省ける。
【実施例】
【０００７】
本発明の育苗箱供給用搬送レール（以下、単に搬送レールとする。）Ａを実施例により説明すると、搬送レールＡは主搬送レールａと、主搬送レールａに出入自在に挿入される副搬送レールｂとから成る。
主搬送レールａは図２に示すように、育苗箱の載置部を形成する左右一対の主パイプフレーム１と、両主パイプフレーム１の下面を一体に連結しその左右端部を立ち上げてＵ状に形成した連結部２と、連結部２の両上端に一体に接合され図４に示すように外側に開口部３aを大きく開口し、開口部３aの上下開口端にＶ状の係合溝部３bを配設した一対のガイド棹３と、一対の主パイプフレーム１の上面に基端部と先端部の三個所において、その頂面と面一に接合される連結板４（図１に示す。）と、両主パイプフレーム１の各個の外端周面とその向きの各ガイド棹３の底部間に接合されるＬ字状（他方では逆Ｌ字状）の補強板５（図１にも示す。）と、両ガイド棹３の基端部において接合されて畦側の苗載置コンテナ（図外）に係止する係止手段としてのピン６（図１に示す。）とから成る。
副搬送レールｂは図２に示すように、両主パイプフレーム１の内側と連結板４の下面と連結部２の水平部上面間に形成される空間７に収まるように配列された一対の副パイプフレーム８と、両副パイプフレーム８の基端側下端部で一体に接合される接合板９を介して両副パイプフレーム８を着脱自在に連結するとともに、その左右を所要間隔で立ち上げてＵ状に形成した副連結部１０と、図３に示すように副連結部１０の両上端部の各内面に、前記ガイド棹３と同構造でその開口部１２aを内面に向け下方の係合溝部１２bをガイド棹３の開口部３aから挿し入れてガイド棹３の下方の係合溝部３bの裏面に係合し、上方の係合溝部１２bの裏面をガイド棹３の上方の係合溝部３bに係合できる姿勢でボルト１３、及びガイド棹３の適所に抜かれた丸穴１１からの工具で挟持されるナット１３aで接合される副ガイド棹１２と、両副パイプフレーム８の先端側で両副パイプフレーム８の下面を一体に連結するとともに、その左右を所要間隔でＵ状に立ち上げた上端部を副ガイド棹１２に一体に接合される固定副連結部１４と、両副パイプフレーム８、８間に梯子状に接合される横桟１５とから成り、副連結部１０は主搬送レールａの基端側の連結部２の下位に位置取りされ、固定副連結部１４は先端側の連結部２の下位で小間隔の二個所に位置取りされて成る。
【０００８】
このようにして成る主搬送レールａと副搬送レールｂは図１（ａ）に示すように、コンパクトに組み合わされて搬送レールＡとして苗供給場所へ運搬され、作業現場では畦側の苗載置コンテナのフレーム（図外）に主搬送レールａの基端側に設けられたピン６を掛け、副搬送レールｂを図１（ｂ）に示すように、圃場内の田植機の適所に伸長して差し渡し、主搬送レールａの両主パイプフレーム１に載置された育苗箱はその両側面をガイド棹３に案内されて両主パイプフレーム１上を摺動し、副搬送レールｂに滑動供給されて作業者によって苗処理される。
この育苗箱が滑動するとき、主搬送レールａに対して伸長される副搬送レールｂは、副パイプフレーム８が梯子状に形成され、その上下端がそれぞれ副連結部１０と、固定副連結部１４とによって連結され、断面係数の大きいＣ形の副ガイド棹１２が同様構造の主搬送レールａのガイド棹３に案内されるから、育苗箱は安定した状態で搬送される。
副搬送レールｂは両副パイプフレーム８の上端において接合板９からナット１６aを緩めてビス１６を外して副連結部１０を分離し副連結部１０を副ガイド棹１２からボルト１３、ナット１３aを外して分離すれば、副搬送レールｂの主要部は主搬送レールａから引き抜かれて分離されるから、分離後接合板９に副連結部１０をビス止めし、副連結部１０の両上端部を副ガイド棹１２にボルト１３、ナット１３aで接合すれば、搬送距離の短い場合には主搬送レールａと副搬送レールｂは単独で育苗箱の搬送に利用できる。
【産業上の利用可能性】
【０００９】
本考案の育苗箱供給用搬送レールによれば、主搬送レールと副搬送レールとの組み合わされたものであるから。畦側の苗載置コンテナと，田植機間の距離に応じて搬送距離を調節できる上、主搬送レールに対して副搬送レールを分解し両者を単独で利用できるのでその需要は大いに期待できる。
【図面の簡単な説明】
【００１０】
【図１】本考案の育苗箱供給用搬送レールＡの使用時の説明図で、分図（ａ）はそのコンパクトな状態の平面図、分図（ｂ）は主搬送レールａに対して副搬送レールｂを伸長した状態の平面図。
【図２】図１（ａ）のＡ−Ａ矢視拡大図。
【図３】副搬送レールｂの左方の要部の部分拡大断面図。
【図４】主搬送レールａの左方の要部の部分拡大断面図。
【符号の説明】
【００１１】
１：主パイプフレーム
２：連結部
３a：開口部
３b：係合溝部
３：ガイド棹
４：連結板
５：補強板
６：ピン
７：空間
８：副パイプフレーム
９：接合板
１０：副連結部
１１：丸穴
１２a：開口部
１２b：係合溝部
１２：副ガイド棹
１３：ボルト
１３a：ナット
１４：固定副連結部
１５：横桟
１６a：ナット
１６：ビス
ａ：主搬送レール
ｂ：副搬送レール
Ａ：育苗箱供給用搬送レール
【図１】
0003111690.tif 000003
【図２】
0003111690.tif 000004
【図３】
0003111690.tif 000005
【図４】
0003111690.tif 000006